(57)【要約】【課題】電動機の起動前、停止後に通電して巻線抵抗を測定する構成として、微小電流、微少時間での測定を可能とし、小型で経済的なパワーユニット・モニタ機構を実現する。【解決手段】パワーユニット１０の電動機Ｍの巻線温度をモニタする機構であり、小電流用モータドライバー２２の出力をシャント抵抗２３を介して電動機Ｍに供給する第１の通電経路と、高電流用モータドライバー２１の出力を直に電動機Ｍに供給する第２の通電経路と、界磁巻線４１の両端の電圧を検知する電圧センサー２４とを有する。また、シャント抵抗の電圧降下値と、電圧センサーの出力値とを受けて、界磁巻線４１の抵抗値を求め、これから界磁巻線温度を演算する演算部２５とを備え、演算部で求められた界磁巻線温度が一定値以上の場合、制御部３０は高電流用モータドライバー２１を作動させない構成である。【選択図】図１
0003180372.tif 000002
【実用新案登録請求の範囲】
【請求項１】
油タンク内の作動油を吸い上げて送出するポンプと、前記ポンプを駆動する直流直巻電動機とを有するパワーユニットの、前記電動機の界磁巻線温度をモニタするパワーユニット・モニタ機構であって、
バッテリーで作動する小電流用モータドライバーの出力をシャント抵抗を介して前記電動機に供給する第１の通電経路と、
前記バッテリーで作動する高電流用モータドライバーの出力を前記シャント抵抗を介さずに前記電動機に供給する第２の通電経路と、
前記電動機の界磁巻線の両端の電圧を検知する電圧センサーと、
前記第１の通電経路で通電したときの前記シャント抵抗の電圧降下値と、前記電圧センサーの出力値とを受け、前記電圧降下値から算出した通電電流値と前記電圧センサの出力値とから前記界磁巻線の抵抗値を求め、前記抵抗値から前記界磁巻線の温度を演算する演算部と、
前記小電流用モータドライバー及び高電流用モータドライバーを制御する制御部とを備え、
前記演算部で求められた前記界磁巻線の温度が一定値以上の場合には、前記制御部は前記高電流用モータドライバーを作動させないことを特徴とするパワーユニット・モニタ機構。
【請求項２】
油タンク内の作動油を吸い上げて送出するポンプと、前記ポンプを駆動する直流直巻電動機とを有するパワーユニットの、前記電動機の界磁巻線温度をモニタするパワーユニット・モニタ機構であって、
バッテリーで作動するモータドライバーの出力をシャント抵抗を介して前記電動機に供給する第１の通電経路と、
前記モータドライバーの出力を前記シャント抵抗を短絡して前記電動機に供給する第２の通電経路と、
前記電動機の界磁巻線の両端の電圧を検知する電圧センサーと、
前記第１の通電経路で通電したときの前記シャント抵抗の電圧降下値と、前記電圧センサーの出力値とを受け、前記電圧降下値から算出した通電電流値と前記電圧センサの出力値とから前記界磁巻線の抵抗値を求め、前記抵抗値から前記界磁巻線の温度を演算する演算部と、
前記モータドライバーを制御する制御部とを備え、
前記演算部で求められた前記界磁巻線の温度が一定値以上の場合には、前記制御部は前記モータドライバーによる前記電動機の起動を行わないことを特徴とするパワーユニット・モニタ機構。
【請求項３】
油タンク内の作動油を吸い上げて送出するポンプと、前記ポンプを駆動する直流直巻電動機とを有するパワーユニットの、前記電動機の界磁巻線温度をモニタするパワーユニット・モニタ機構であって、
バッテリーで作動する小電流用モータドライバーの出力をシャント抵抗を介して前記電動機に供給する第１の通電経路と、
前記バッテリーで作動する高電流用モータドライバーの出力を前記シャント抵抗を介さずに前記電動機に供給する第２の通電経路と、
前記電動機の界磁巻線の両端の電圧を検知する電圧センサーと、
前記第１の通電経路で通電したときの前記シャント抵抗の電圧降下値と、前記電圧センサーの出力値とを受け、前記電圧降下値から算出した通電電流値と前記電圧センサの出力値とから前記界磁巻線の抵抗値を求め、前記抵抗値から前記界磁巻線の温度を演算する演算部と、
前記小電流用モータドライバー及び高電流用モータドライバーを制御する制御部とを備え、
前記演算部で求められた前記界磁巻線の温度が一定値以上の場合には、前記制御部は警報を発生する警報器を作動させることを特徴とするパワーユニット・モニタ機構。
【請求項４】
油タンク内の作動油を吸い上げて送出するポンプと、前記ポンプを駆動する直流直巻電動機とを有するパワーユニットの、前記電動機の界磁巻線温度をモニタするパワーユニット・モニタ機構であって、
バッテリーで作動するモータドライバーの出力をシャント抵抗を介して前記電動機に供給する第１の通電経路と、
前記モータドライバーの出力を前記シャント抵抗を短絡して前記電動機に供給する第２の通電経路と、
前記電動機の界磁巻線の両端の電圧を検知する電圧センサーと、
前記第１の通電経路で通電したときの前記シャント抵抗の電圧降下値と、前記電圧センサーの出力値とを受け、前記電圧降下値から算出した通電電流値と前記電圧センサの出力値とから前記界磁巻線の抵抗値を求め、前記抵抗値から前記界磁巻線の温度を演算する演算部と、
前記モータドライバーを制御する制御部とを備え、
前記演算部で求められた前記界磁巻線の温度が一定値以上の場合には、前記制御部は警報を発生する警報器を作動させることを特徴とするパワーユニット・モニタ機構。
【請求項５】
前記小電流用モータドライバーが定電流回路であって、前記第１の通電経路に一定電流を供給するものである、請求項１又は３に記載のパワーユニット・モニタ機構。
【請求項６】
前記電動機の起動を指令する操作スイッチが前記制御部に接続されており、前記操作スイッチがターンオンされた時点から所定期間に前記第１の通電経路で前記電動機に通電する、請求項１乃至５のいずれか一項に記載のパワーユニット・モニタ機構。
【請求項７】
前記電動機の起動を指令する操作スイッチが前記制御部に接続されており、前記操作スイッチがオフの期間に前記第１の通電経路で前記電動機に通電する、請求項１乃至６のいずれか一項に記載のパワーユニット・モニタ機構。
【請求項８】
前記第１の通電経路で前記電動機に通電する場合の通電電流は前記電動機が回転できない微小電流である、請求項１乃至７のいずれか一項に記載のパワーユニット・モニタ機構。
【考案の詳細な説明】
【技術分野】
【０００１】
本考案は、各種油圧機器の油圧源として使用されるパワーユニットの電動機巻線温度を監視可能なパワーユニット・モニタ機構に関する。
【背景技術】
【０００２】
電動機保護のため、電動機巻線温度を測定し、温度が規定値に達したら電動機を停止する、又は警告を発する方式がある。
【０００３】
温度測定には、温度センサー（サーミスタ等）により直接巻線温度を測定する方法があるが、巻線への温度センサーの取付位置にばらつきが発生したり、温度センサー用の個別の回路を別途設けなければならない問題がある。
【０００４】
また、電動機巻線に印加する電圧と電流より巻線抵抗を計算し、巻線温度を知る方法が知られている。しかし、高電流の直流電動機では、電流を測る装置が大きくなり、高価格であることが阻害要因となっている。
【０００５】
温度センサーを用いないで、電動機巻線温度を測るものとして下記特許文献１，２，３がある。
【先行技術文献】
【特許文献】
【０００６】
【特許文献１】特開平６−１５３３８１号公報
【特許文献２】特開平１１−２８９７９０号公報
【特許文献３】特開２０１１−１５５８４号公報
【０００７】
特許文献１〜３のいずれも、電動機よりの検出項目は、電流・電圧・回転数となっている。抵抗値の計算は、以下のパラメータを使用して次式（１）で行っている。
計算式  Ｖ＝Ｒ・Ｉ＋Ｋ・Ｎ  …（１）
ここで、Ｖ：印加電圧、Ｒ：全電動機巻線抵抗値、Ｉ：電流値、Ｋ：モータ係数、Ｎ：回転数
電気回路的には図３のように表せる。図３においてＥは誘導起電力となり一般に
Ｅ＝Ｋ・Ｎ・Φ
となる。しかし、特許文献１〜３内の式には、Φ（磁束）が無い。考えられることは、Φを定数として、Ｋの中に入れているのだと考えられる。Φが一定の値と考えられるのは、界磁が磁石の場合である。ΦをＩの関数と考えられないこともないが、磁気飽和が有るので無理がある。よって、パワーユニット用直流直巻電動機のように界磁が巻線式の場合は、上記の抵抗計算式は成り立たない。
【考案の概要】
【考案が解決しようとする課題】
【０００８】
運転中の電動機の電流を測定する場合、高電流検出器（シャント抵抗）を用いる必要があるが、高電流検出器は、設置スペースが広く、またコスト高であり、消費電力も無視できない。パワーユニット用電動機のように、短時間の繰り返し動作を行う場合、常時巻線温度を監視する必要は無い。
【０００９】
本考案は、上記の点に着目してなされたもので、電動機の起動前又は停止後に通電して巻線抵抗を測定する構成として、微小電流、微少時間での測定を可能とし、ひいては小型で経済的なパワーユニット・モニタ機構を提供しようとするものである。
【課題を解決するための手段】
【００１０】
本考案の第１の態様は、パワーユニット・モニタ機構である。このパワーユニット・モニタ機構は、油タンク内の作動油を吸い上げて送出するポンプと、前記ポンプを駆動する直流直巻電動機とを有するパワーユニットの、前記電動機の界磁巻線温度をモニタするものであって、
バッテリーで作動する小電流用モータドライバーの出力をシャント抵抗を介して前記電動機に供給する第１の通電経路と、
前記バッテリーで作動する高電流用モータドライバーの出力を前記シャント抵抗を介さずに前記電動機に供給する第２の通電経路と、
前記電動機の界磁巻線の両端の電圧を検知する電圧センサーと、
前記第１の通電経路で通電したときの前記シャント抵抗の電圧降下値と、前記電圧センサーの出力値とを受け、前記電圧降下値から算出した通電電流値と前記電圧センサの出力値とから前記界磁巻線の抵抗値を求め、前記抵抗値から前記界磁巻線の温度を演算する演算部と、
前記小電流用モータドライバー及び高電流用モータドライバーを制御する制御部とを備え、
前記演算部で求められた前記界磁巻線の温度が一定値以上の場合には、前記制御部は前記高電流用モータドライバーを作動させないことを特徴とする。
【００１１】
本考案の第２の態様も、パワーユニット・モニタ機構である。このパワーユニット・モニタ機構は、油タンク内の作動油を吸い上げて送出するポンプと、前記ポンプを駆動する直流直巻電動機とを有するパワーユニットの、前記電動機の界磁巻線温度をモニタするものであって、
バッテリーで作動するモータドライバーの出力をシャント抵抗を介して前記電動機に供給する第１の通電経路と、
前記モータドライバーの出力を前記シャント抵抗を短絡して前記電動機に供給する第２の通電経路と、
前記電動機の界磁巻線の両端の電圧を検知する電圧センサーと、
前記第１の通電経路で通電したときの前記シャント抵抗の電圧降下値と、前記電圧センサーの出力値とを受け、前記電圧降下値から算出した通電電流値と前記電圧センサの出力値とから前記界磁巻線の抵抗値を求め、前記抵抗値から前記界磁巻線の温度を演算する演算部と、
前記モータドライバーを制御する制御部とを備え、
前記演算部で求められた前記界磁巻線の温度が一定値以上の場合には、前記制御部は前記モータドライバーによる前記電動機の起動を行わないことを特徴とする。
【００１２】
本考案の第３の態様も、パワーユニット・モニタ機構である。このパワーユニット・モニタ機構は、油タンク内の作動油を吸い上げて送出するポンプと、前記ポンプを駆動する直流直巻電動機とを有するパワーユニットの、前記電動機の界磁巻線温度をモニタするものであって、
バッテリーで作動する小電流用モータドライバーの出力をシャント抵抗を介して前記電動機に供給する第１の通電経路と、
前記バッテリーで作動する高電流用モータドライバーの出力を前記シャント抵抗を介さずに前記電動機に供給する第２の通電経路と、
前記電動機の界磁巻線の両端の電圧を検知する電圧センサーと、
前記第１の通電経路で通電したときの前記シャント抵抗の電圧降下値と、前記電圧センサーの出力値とを受け、前記電圧降下値から算出した通電電流値と前記電圧センサの出力値とから前記界磁巻線の抵抗値を求め、前記抵抗値から前記界磁巻線の温度を演算する演算部と、
前記小電流用モータドライバー及び高電流用モータドライバーを制御する制御部とを備え、
前記演算部で求められた前記界磁巻線の温度が一定値以上の場合には、前記制御部は警報を発生する警報器を作動させることを特徴とする。
【００１３】
本考案の第４の態様も、パワーユニット・モニタ機構である。このパワーユニット・モニタ機構は、油タンク内の作動油を吸い上げて送出するポンプと、前記ポンプを駆動する直流直巻電動機とを有するパワーユニットの、前記電動機の界磁巻線温度をモニタするものであって、
バッテリーで作動するモータドライバーの出力をシャント抵抗を介して前記電動機に供給する第１の通電経路と、
前記モータドライバーの出力を前記シャント抵抗を短絡して前記電動機に供給する第２の通電経路と、
前記電動機の界磁巻線の両端の電圧を検知する電圧センサーと、
前記第１の通電経路で通電したときの前記シャント抵抗の電圧降下値と、前記電圧センサーの出力値とを受け、前記電圧降下値から算出した通電電流値と前記電圧センサの出力値とから前記界磁巻線の抵抗値を求め、前記抵抗値から前記界磁巻線の温度を演算する演算部と、
前記モータドライバーを制御する制御部とを備え、
前記演算部で求められた前記界磁巻線の温度が一定値以上の場合には、前記制御部は警報を発生する警報器を作動させることを特徴とする。
【００１４】
前記第１又は第３の態様において、前記小電流用モータドライバーが定電流回路であって、前記第１の通電経路に一定電流を供給するものでもよい。
【００１５】
前記第１乃至第４の態様において、前記バッテリーから前記パワーユニットへの電力供給をオン、オフする電源スイッチがターンオンされた時点から所定期間に前記第１の通電経路で前記電動機に通電する構成でもよい。
【００１６】
前記第１乃至第４の態様において、前記電動機の起動を指令する操作スイッチが前記制御部に接続されており、前記操作スイッチがオフの期間に前記第１の通電経路で前記電動機に通電する構成でもよい。
【００１７】
前記第１乃至第４の態様において、前記第１の通電経路で前記電動機に通電する場合の通電電流は前記電動機が回転できない微小電流であるとよい。
【００１８】
なお、以上の構成要素の任意の組合せもまた、本考案の態様として有効である。
【考案の効果】
【００１９】
本考案に係るパワーユニット・モニタ機構によれば、巻線温度を測定するための通電経路を本来の電動機の通電経路とは別に設けたことで、電動機の起動前、あるいは停止後の期間中に、微小電流、微少時間での測定が可能となる。この結果、設置スペースが広くてコスト高な高電流検出器を用いる必要がなくなり、小型で経済的なモニタ機構を実現できる。
【図面の簡単な説明】
【００２０】
【図１】本考案に係るパワーユニット・モニタ機構の第１の実施の形態を示すブロック図。
【図２】本考案に係るパワーユニット・モニタ機構の第２の実施の形態を示すブロック図。
【図３】従来技術説明用の回路図。
【考案を実施するための形態】
【００２１】
以下、図面を参照しながら本考案に係るパワーユニット・モニタ機構の好適な実施の形態を詳述する。なお、各図面に示される同一または同等の構成要素、部材等には同一の符号を付し、適宜重複した説明は省略する。また、実施の形態は考案を限定するものではなく例示であり、実施の形態に記述されるすべての特徴やその組み合わせは必ずしも考案の本質的なものであるとは限らない。
【００２２】
図１において、パワーユニット１０は作動油が貯留された油タンク１と、油タンク１内の作動油を吸い上げて送出するポンプＰと、ポンプＰを回転駆動する直流直巻電動機Ｍと、ポンプＰから吐出された作動油を作動油吐出側ポート１１に送り、かつ作動油戻り側ポート１２に戻ってきた作動油を油タンク１に戻す油圧回路２とを有している。
【００２３】
直流直巻電動機Ｍの通常の運転のために高電流用モータドライバー２１が設けられるとともに、モニタ用に小電流用モータドライバー２２、電流測定用シャント抵抗２３、電圧センサー２４及び演算部２５が設けられる。制御部３０は高電流用及び小電流用モータドライバー２１，２２の両者を制御するために共通に設けられている。
【００２４】
バッテリー４０を電源として作動する小電流用モータドライバー２２の出力はシャント抵抗２３を通して直流直巻電動機Ｍ（界磁巻線４１と電機子巻線４２との直列接続）に印加され、このときのシャント抵抗２３の電圧降下（電流値に比例）が演算部２５に入力される。また、界磁巻線４１の両端の電圧が電圧センサー２４に印加され、その検出電圧値が演算部２５に入力される。
【００２５】
バッテリー４０からのパワーユニット・モニタ機構への電力供給をオン、オフするための電源スイッチＳＷ１がバッテリー４０とパワーユニット・モニタ機構との電源供給線路に挿入されている。また、制御部３０には直流直巻電動機Ｍの作動を開始させるための操作スイッチＳＷ２が接続されている。
【００２６】
図１の場合、高電流用モータドライバー２１と小電流用モータドライバー２２とを有するため、バッテリー４０で作動する小電流用モータドライバー２２の出力をシャント抵抗２３を介して直流直巻電動機Ｍに供給するモニタ用の第１の通電経路と、バッテリー４０で作動する高電流用モータドライバー２１の出力をシャント抵抗２３を介さずに直流直巻電動機Ｍに供給する通常運転用の第２の通電経路とを有することになる。
【００２７】
以上の構成において、電源スイッチＳＷ１をオンにしてパワーユニット１０が作動可能な状態にした後、操作スイッチＳＷ２がターンオンすると（オフからオンに変わると）、制御部３０により小電流用モータドライバー２２を作動させて、小電流用モータドライバー２２の出力をシャント抵抗２３を介して直流直巻電動機Ｍに供給し、直流直巻電動機Ｍが回転しない程度の微小電流を、微少時間（長くて数秒）だけ通電する。直流直巻電動機ＭにはポンプＰが常時接続されており、微小電流では回転できない。この通電期間中に、演算部２５は、シャント抵抗２３の電圧降下値と電圧センサー２４からの界磁巻線４１両端の電圧値とを受け、前記電圧降下値から算出した直流直巻電動機Ｍの通電電流値と、前記電圧センサの出力値とから界磁巻線４１の抵抗値を算出し、既知の巻線温度と巻線抵抗との関係から界磁巻線４１の温度を算出して制御部３０に出力する。なお、直流直巻電動機Ｍが回転しない状態で測定するため、前述の式（１）におけるＫ・Ｎの項はゼロであり、考慮不要である。
【００２８】
制御部３０は、演算部２５で求められた界磁巻線４１の温度が一定値以上の場合には、高電流用モータドライバー２１を作動させない。つまり、操作スイッチＳＷ２のオン操作が継続していても高電流用モータドライバー２１を作動させない。この結果、直流直巻電動機Ｍの巻線過熱による焼損事故を未然に防止できる。なお、電機子巻線４２の温度は監視していないが、通常、界磁巻線４１と電機子巻線４２は同じ定格電流なので界磁巻線４１のみの温度検出でも問題は無い。
【００２９】
一方、制御部３０は、演算部２５で求められた界磁巻線４１の温度が一定値未満の場合には、巻線過熱の問題は生じないと判断して、高電流用モータドライバー２１を作動させ、通常運転用の第２の通電経路で直流直巻電動機Ｍに通電し、これを起動する（このとき小電流用モータドライバー２２の動作は終了している）。つまり、操作スイッチＳＷ２が操作されてオンになると、第１の通電経路による界磁巻線４１の温度測定を行い、その温度が一定値未満であれば、バッテリー４０で作動する高電流用モータドライバー２１の出力が第２の通電経路でシャント抵抗２３を介さずに直流直巻電動機Ｍに供給され、直流直巻電動機Ｍは起動して通常の運転を行う。通常運転ではシャント抵抗２３には電流は流れないため、シャント抵抗２３の焼損は生じない。
【００３０】
また、操作スイッチＳＷ２が操作されなくなってターンオフした後も（オンからオフに変わった後も）、制御部３０により小電流用モータドライバー２２を作動させて前述と同様の界磁巻線４１の温度検出を行ってもよい。この場合の処理も同じであり、制御部３０は、演算部２５で求められた界磁巻線４１の温度が一定値以上の場合には、高電流用モータドライバー２１を作動させない。つまり、操作スイッチＳＷ２が再度操作されてオンになっても高電流用モータドライバー２１を作動させない。
【００３１】
警報を発生する場合には、制御部３０に警報を発生する警報器３５を接続し、演算部２５で求められた界磁巻線４１の温度が一定値以上の場合に、制御部３０で警報器３５を作動させる。これにより、パワーユニット１０の操作者に直流直巻電動機Ｍの不調（巻線過熱）を知らせることができる。
【００３２】
なお、直流直巻電動機Ｍの通常運転中は温度測定は出来ないが、通常のパワーユニット１０の連続運転時間は１０〜３０秒で、途中で停止が入るので問題は生じない。
【００３３】
本実施の形態によれば、下記の通りの効果を奏することができる。
【００３４】
(1) 巻線温度を測定するための通電経路を本来の直流直巻電動機Ｍの通電経路とは別に設けたことで、直流直巻電動機Ｍの起動前、あるいは停止後の期間中に、微小電流、微少時間での測定が可能となる。この結果、設置スペースが広くてコスト高な高電流検出器を用いる必要がなくなり、小型で経済的なモニタ機構を実現できる。
【００３５】
(2) 電流検出用のシャント抵抗２３には微小電流しか流れないため、焼損の恐れはなく、電力損失も無視できる。
【００３６】
(3) 直流直巻電動機Ｍが回転しない状態での測定であり、前述の式（１）におけるＫ・Ｎの項はゼロであり、考慮不要である。このため、直流直巻電動機Ｍの回転数の測定機能は不要である。
【００３７】
図２は本考案の第２の実施の形態を示す。この場合、第１の実施の形態における小電流用モータドライバーと高電流用モータドライバーを１個のモータドライバー５０で兼用するようにしている。そして、シャント抵抗２３を選択的に短絡するためのスイッチＳＷ３が設けられている。スイッチＳＷ３は制御部３０でオン、オフ制御される電子スイッチ又はリレーである。
【００３８】
図２の場合も、バッテリー４０で作動するモータドライバー５０の出力をシャント抵抗２３を介して直流直巻電動機Ｍに供給する第１の通電経路と、モータドライバー５０の出力をシャント抵抗２３を短絡して直流直巻電動機Ｍに供給する第２の通電経路とを有することになる。
【００３９】
図２の構成において、電源スイッチＳＷ１をオンにしてパワーユニット１０が作動可能な状態にした後、操作スイッチＳＷ２がターンオンすると、制御部３０によりモータドライバー５０を小電流用として作動させて、その出力をシャント抵抗２３を介して直流直巻電動機Ｍに供給し、直流直巻電動機Ｍが回転しない程度の微小電流を、微少時間だけ通電する。この通電期間中に、演算部２５は、シャント抵抗２３の電圧降下から求めた直流直巻電動機Ｍの電流値と、電圧センサー２４からの界磁巻線４１両端の電圧値とから、界磁巻線４１の抵抗値を算出し、既知の巻線温度と巻線抵抗との関係から界磁巻線４１の温度を算出して制御部３０に出力する。制御部３０は、演算部２５で求められた界磁巻線４１の温度が一定値以上の場合には、モータドライバー５０を高電流用として作動させない。つまり、操作スイッチＳＷ２のオン操作が継続していてもモータドライバー５０を作動させない。この結果、直流直巻電動機Ｍは起動されず、巻線過熱による焼損事故を未然に防止できる。
【００４０】
一方、制御部３０は、演算部２５で求められた界磁巻線４１の温度が一定値未満の場合には、巻線過熱の問題は生じないと判断して、モータドライバー５０を高電流用として作動させるとともにスイッチＳＷ３を閉じる。従って、操作スイッチＳＷ２のオン操作が継続すれば、バッテリー４０で作動するモータドライバー５０の出力がシャント抵抗２３を介さずに直流直巻電動機Ｍに供給される結果、直流直巻電動機Ｍは起動して通常の運転を行う。通常運転ではシャント抵抗２３には電流は流れないため、シャント抵抗２３の焼損は生じない。
【００４１】
警報を発生する場合には、前述の第１の実施の形態と同様に、制御部３０に警報を発生する警報器３５を接続し、演算部２５で求められた界磁巻線４１の温度が一定値以上の場合に、制御部３０で警報器３５を作動させればよい。
【００４２】
第２の実施の形態の場合、小電流用モータドライバーと高電流用モータドライバーを１個のモータドライバー５０で兼用できるため、より簡単な構成となる。
【００４３】
以上、実施の形態を例に本発明を説明したが、実施の形態の各構成要素には請求項に記載の範囲で種々の変形が可能であることは当業者に理解されるところである。
【００４４】
前述の第１の実施の形態において、小電流用モータドライバー２２は直流直巻電動機Ｍを起動させる必要がないため、定電流回路で構成することもできる。例えば、出力電流が１Ａの定電流回路を用いれば、界磁巻線４１の両端の電圧値がそのまま界磁巻線４１の抵抗値となり、より分かり易くなる（演算部２５の演算が簡単になる）利点がある。
【符号の説明】
【００４５】
１  油タンク
２  油圧回路
２１，２２，５０  モータドライバー
２３  シャント抵抗
２４  電圧センサー
２５  演算部
３０  制御部
３５  警報器
４０  バッテリー
４１  界磁巻線
４２  電機子巻線
Ｍ  電動機
Ｐ  ポンプ
ＳＷ１〜ＳＷ３  スイッチ
【図１】
0003180372.tif 000003
【図２】
0003180372.tif 000004
【図３】
0003180372.tif 000005